【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
トラフィックディレクタコンポーネントを含むコンピューティング環境における使用のためのシステムであって、
１つ以上のトラフィックディレクタインスタンスを有し、クライアントからの要求をサーバの１つ以上のプールを有する発信元サーバに受け取って通信するよう構成されるトラフィックディレクタと、
前記トラフィックディレクタの異なる構成可能なオブジェクトを検討および構成する際のユーザ／アドミニストレータによる使用のための管理コンソールユーザインターフェイスまたはＧＵＩとを含み、
前記ＧＵＩは、１つ以上のナビゲーションオプションセクションとナビゲーションツリーセクションとに分けられるナビゲーションセクションを含む複数のセクションを含み、前記ナビゲーションオプションの各々は、前記ナビゲーションツリーセクション内で表示のためのコンテンツに関連付けられ、特定のナビゲーションオプションを選択することによりその関連付けられるコンテンツが表示される、システム。
【請求項２】
前記ナビゲーションオプションの各々は、前記ナビゲーションツリーセクション内での表示のためにナビゲーションツリーに関連付けられており、前記ＧＵＩはさらに、現在表示されている前記ナビゲーションツリーにおけるクリック可能なアクションについてのターゲットとして作用するメインコンテンツセクションを含む、請求項１に記載のシステム。
【請求項３】
前記システムはユーザが、前記第１のナビゲーションオプションに関連付けられるナビゲーションツリーを表示させる第１のナビゲーションオプションを選択し、その後、代替的なナビゲーションオプションに関連付けられるナビゲーションツリーを前記ナビゲーションツリーセクションに表示させる代替的なナビゲーションオプションを選択することを可能にする、請求項２に記載のシステム。
【請求項４】
特定のナビゲーションツリーを前記ナビゲーションツリーセクションに表示する際に、前記メインコンテンツセクションは、当該ナビゲーションツリーに関連付けられる構成可能なオブジェクトのリスティングを表示するよう修正される、請求項３に記載のシステム。
【請求項５】
トラフィックディレクタコンポーネントを含むコンピューティング環境における使用のための方法であって、
１つ以上のトラフィックディレクタインスタンスを有し、クライアントからの要求をサーバの１つ以上のプールを有する発信元サーバに受け取って通信するよう構成されるトラフィックディレクタを提供するステップと、
前記トラフィックディレクタの異なる構成可能なオブジェクトを検討および構成する際のユーザ／アドミニストレータによる使用のための管理コンソールユーザインターフェイスまたはＧＵＩを提供するステップとを含み、
前記ＧＵＩは、１つ以上のナビゲーションオプションセクションとナビゲーションツリーセクションとに分けられるナビゲーションセクションを含む複数のセクションを含み、前記ナビゲーションオプションの各々は、前記ナビゲーションツリーセクション内での表示のためのコンテンツに関連付けられ、特定のナビゲーションオプションを選択することによりその関連付けられるコンテンツが表示される、方法。
【請求項６】
格納された命令を含むコンピュータプログラムであって、前記コンピュータプログラムは、１つ以上のコンピュータによって読み出されて実行されると、前記１つ以上のコンピュータに、
１つ以上のトラフィックディレクタインスタンスを有し、クライアントからの要求をサーバの１つ以上のプールを有する発信元サーバに受け取って通信するよう構成されるトラフィックディレクタを提供するステップと、
前記トラフィックディレクタの異なる構成可能なオブジェクトを検討および構成する際のユーザ／アドミニストレータによる使用のための管理コンソールユーザインターフェイスまたはＧＵＩを提供するステップとを実行させ、
前記ＧＵＩは、１つ以上のナビゲーションオプションセクションとナビゲーションツリーセクションとに分けられるナビゲーションセクションを含む複数のセクションを含み、前記ナビゲーションオプションの各々は、前記ナビゲーションツリーセクション内での表示のためのコンテンツに関連付けられ、特定のナビゲーションオプションを選択することによりその関連付けられるコンテンツが表示される、コンピュータプログラム。
【請求項７】
トラフィックディレクタコンポーネントを含むコンピューティング環境における使用のためのシステムであって、
１つ以上のトラフィックディレクタインスタンスを有し、クライアントからの要求をサーバの１つ以上のプールを有する発信元サーバに受け取って通信するよう構成されるトラフィックディレクタと、
前記トラフィックディレクタの異なる構成可能なオブジェクトを検討および構成する際のユーザ／アドミニストレータによる使用のための管理コンソールユーザインターフェイスまたはＧＵＩと、
前記ＧＵＩがどのフィールドが変更したかをトラッキング可能なように、修正されたＧＵＩフィールドを自動的に検出し、かつ修正された値を当該フィールドについてのオリジナル値に対してチェックすることにより、変更されたフィールドをマーキングまたはそうでなければ示すプロパティシートとを含む、システム。
【請求項８】
前記プロパティシートはセクションを含み、各セクションは別個に保存されるよう意図され、特定のセクションについての修正インジケータは、当該特定のセクションについての保存プロセスが保存の際にエラーを引き起こすならば、変更されないままである、請求項７に記載のシステム。
【請求項９】
トラフィックディレクタコンポーネントを含むコンピューティング環境における使用のための方法であって、
１つ以上のトラフィックディレクタインスタンスを有し、クライアントからの要求をサーバの１つ以上のプールを有する発信元サーバに受け取って通信するよう構成されるトラフィックディレクタを提供するステップと、
前記トラフィックディレクタの異なる構成可能なオブジェクトを検討および構成する際のユーザ／アドミニストレータによる使用のための管理コンソールユーザインターフェイスまたはＧＵＩを提供するステップと、
前記ＧＵＩがどのフィールドが変更したかをトラッキング可能なように、修正されたＧＵＩフィールドを自動的に検出し、かつ修正された値を当該フィールドについてのオリジナル値に対してチェックすることにより、変更されたフィールドをマーキングまたはそうでなければ示すプロパティシートを提供するステップとを含む、方法。
【請求項１０】
サーバ環境におけるコンテキストセンシティブなリモート管理オブジェクトのオートタブコンプリーションのためのシステムであって、
１つ以上のサーバインスタンスを有するサーバ環境と、
リモートオブジェクトについてオートコンプリーション機能を提供するコマンドラインインターフェイスおよび／またはコマンドラインシェルとを含み、機能を呼び出すアドミニストレータからの命令に応答して、前記システムは、
呼び出しの際に前記コマンドラインのコンテキストに基づき、構成可能なリモートバックエンドオブジェクトを決定し、
情報を用いて、コマンドライン入力をオートコンプリートするかまたはリモートバックエンドオブジェクトのリストを提供するかのいずれかを行う、システム。
【請求項１１】
前記アドミニストレータは、前記コマンドラインインターフェイスがシェルモードに入ることを要求することが可能であり、前記シェルモードは同様にリモートオブジェクトについてオートコンプリーション機能を提供する、請求項１０に記載のシステム。
【請求項１２】
前記オートコンプリーション機能は、呼び出しの際に前記コマンドラインのコンテキストにマッチする他のオプションが存在しなければ、コマンドライン入力をコンプリートするよう試みるか、または何らかのオプションが存在すれば、それらのオプションをリスト化する、請求項１０または１１に記載のシステム。
【請求項１３】
呼び出しの際の前記コマンドラインのコンテキストは、前記コマンドライン上で前記アドミニストレータによって特定されたオプションまたはその部分である、請求項１０〜１２のいずれか１項に記載のシステム。
【請求項１４】
前記サーバ環境はトラフィックディレクタ環境であり、前記サーバインスタンスはトラフィックディレクタインスタンスである、請求項１０〜１３のいずれか１項に記載のシステム。
【請求項１５】
サーバ環境におけるコンテキストセンシティブなリモート管理オブジェクトのオートタブコンプリーションのための方法であって、
１つ以上のサーバインスタンスを有するサーバ環境を提供するステップと、
リモートオブジェクトについてオートコンプリーション機能を提供するコマンドラインインターフェイスおよび／またはコマンドラインシェルを提供するステップとを含み、機能を呼び出すアドミニストレータからの命令に応答して、前記システムは、
呼び出しの際に前記コマンドラインのコンテキストに基づき、構成可能なリモートバックエンドオブジェクトを決定し、
情報を用いて、コマンドライン入力をオートコンプリートするかまたはリモートバックエンドオブジェクトのリストを提供するかのいずれかを行う、方法。
【請求項１６】
格納された命令を含むコンピュータプログラムであって、前記コンピュータプログラムは、１つ以上のコンピュータによって読み出されて実行されると、前記１つ以上のコンピュータに、
１つ以上のサーバインスタンスを有するサーバ環境を提供するステップと、
リモートオブジェクトについてオートコンプリーション機能を提供するコマンドラインインターフェイスおよび／またはコマンドラインシェルを提供するステップとを実行させ、機能を呼び出すアドミニストレータからの命令に応答して、前記システムは、
呼び出しの際に前記コマンドラインのコンテキストに基づき、構成可能なリモートバックエンドオブジェクトを決定し、
情報を用いて、コマンドライン入力をオートコンプリートするかまたはリモートバックエンドオブジェクトのリストを提供するかのいずれかを行う、コンピュータプログラム。
【請求項１７】
トラフィックディレクタコンポーネントを含むコンピューティング環境における使用のためのシステムであって、
１つ以上のサーバインスタンスを有するサーバ環境と、
前記サーバ環境を管理するよう用いられる管理サーバと、
前記サーバ環境の管理における使用のためにＲＥＳＴコールを前記管理サーバ上に登録されるｍｂｅａｎｓまたは他のマネージメントコンポーネントにマッピングするREpresentational State Transfer（ＲＥＳＴ）インフラストラクチャおよびマネージメントサービスとを含む、システム。
【請求項１８】
前記ＲＥＳＴインフラストラクチャおよびマネージメントサービスは、ＲＥＳＴ  ＵＲＩスペースとそれぞれのｍｂｅａｎコールとの間のマッピングを提供するウェブサービスを含む、請求項１７に記載のシステム。
【請求項１９】
前記管理サーバは、カスタマイズされた要求ヘッダーおよびトークンを用いて、マネージメント動作を呼び出すクライアントの認証性をアサートする、請求項１７または１８に記載のシステム。
【請求項２０】
前記ＲＥＳＴインフラストラクチャは、セキュリティコンポーネントを含み、前記セキュリティコンポーネントはエンティティに、まずログインするかまたはそうでなければ前
記セキュリティコンポーネントに対して自身を認証するようマネージメント要求を通信することを要求する、請求項１７〜１９のいずれか１項に記載のシステム。
【請求項２１】
前記セキュリティコンポーネントに対する認証に応答して、前記エンティティは、その後のマネージメント要求についての要求ヘッダーの一部として含まれなければならないトークンを受け取る、請求項２０に記載のシステム。
【請求項２２】
前記サーバ環境はトラフィックディレクタ環境であり、前記サーバインスタンスはトラフィックディレクタインスタンスである、請求項１７〜２１のいずれか１項に記載のシステム。
【請求項２３】
トラフィックディレクタコンポーネントを含むコンピューティング環境における使用のための方法であって、
１つ以上のサーバインスタンスを有するサーバ環境を提供するステップと、
前記サーバ環境を管理するよう用いられる管理サーバを提供するステップと、
前記サーバ環境の管理における使用のためにＲＥＳＴコールを前記管理サーバ上に登録されるｍｂｅａｎｓまたは他のマネージメントコンポーネントにマッピングするREpresentational State Transfer（ＲＥＳＴ）インフラストラクチャおよびマネージメントサービスを提供するステップとを含む、方法。
【請求項２４】
格納された命令を含むコンピュータプログラムであって、前記コンピュータプログラムは、１つ以上のコンピュータによって読み出されて実行されると、前記１つ以上のコンピュータに、
１つ以上のサーバインスタンスを有するサーバ環境を提供するステップと、
前記サーバ環境を管理するよう用いられる管理サーバを提供するステップと、
前記サーバ環境の管理における使用のためにＲＥＳＴコールを前記管理サーバ上に登録されるｍｂｅａｎｓまたは他のマネージメントコンポーネントにマッピングするREpresentational State Transfer（ＲＥＳＴ）インフラストラクチャおよびマネージメントサービスを提供するステップとを実行させる、コンピュータプログラム。